(57)【要約】【課題】ユーザ端末の位置に応じたサービスを提供する複数のサービスがあるときに、サービスの存在をユーザに提供すること。【解決手段】無線通信システムを介して接続されるユーザ端末１００が発信する電波に基づいて、ユーザ端末の位置を検出する位置検出部２０６と、ユーザ端末１００の位置に応じたサービスを提供するサービス提供部２１０と、ユーザ端末１００の識別子を取得する識別子取得部２０８と、ユーザ端末１００への通知手段が登録された通知サービス装置２００に対して、ユーザ端末１００の識別子と自装置の識別子とを送信するインターネット接続部２１６を備える。【選択図】図３
2010028350.tif 000002
【特許請求の範囲】
【請求項１】
無線通信システムを介して接続されるユーザ端末が発信する電波に基づいて、ユーザ端末の位置を検出する位置検出部と、
前記ユーザ端末の位置に応じたサービスを提供するサービス提供部と、
前記ユーザ端末の識別子を取得する識別子取得部と、
前記ユーザ端末への通知手段が登録されたアクセス手段通知サービス装置に対して、前記ユーザ端末の識別子と自装置の識別子とを送信する送信部と、
を備えることを特徴とする、位置利用サービス提供装置。
【請求項２】
前記ユーザ端末への通知手段は、前記ユーザ端末のメールアドレスであることを特徴とする、請求項１に記載の位置利用サービス提供装置。
【請求項３】
前記ユーザ端末の識別子は、前記ユーザ端末と前記位置利用サービス提供装置を接続する無線通信システムで用いられる識別子であることを特徴とする、請求項１又は２に記載の位置利用サービス提供装置。
【請求項４】
ユーザ端末の位置に応じたサービスを提供する位置利用サービス提供装置から、当該位置利用サービス提供装置と通信を行っている前記ユーザ端末の識別子と、当該位置利用サービス提供装置の識別子とを受信する受信部と、
前記位置利用サービス提供装置の識別子に基づいて、予め登録された情報から当該位置利用サービス提供装置へのアクセス手段を抽出するアクセス手段抽出部と、
前記ユーザ端末の識別子に基づいて、予め登録された情報から当該ユーザ端末への通知手段を抽出する通知手段抽出部と、
抽出した前記アクセス手段を、前記通知手段を用いて前記ユーザ端末へ送信する送信部と、
を備える、アクセス手段通知サービス装置。
【請求項５】
前記ユーザ端末への通知手段は、前記ユーザ端末のメールアドレスであることを特徴とする、請求項４に記載のアクセス手段通知サービス装置。
【請求項６】
前記ユーザ端末の識別子は、前記ユーザ端末と前記位置利用サービス提供装置を接続する無線通信システムで用いられる識別子であることを特徴とする、請求項４又は５に記載のアクセス手段通知サービス装置。
【請求項７】
アクセス手段通知サービス装置に対して、自装置の識別子を含む情報を登録する登録部と、
前記アクセス手段通知サービス装置から、自装置の位置に応じたサービスを提供可能な位置利用サービス装置へのアクセス手段を受信するアクセス手段受信部と、
を備えることを特徴とする、ユーザ端末装置。
【請求項８】
前記位置利用サービス装置が送信した前記サービスを受信するサービス受信部と、
前記サービスを表示する表示部と、
を備えることを特徴とする、請求項７に記載のユーザ端末装置。
【請求項９】
ユーザ端末、位置利用サービス提供装置、及びアクセス手段通知サービス装置を備えるサービス提供システムであって、
前記位置利用サービス提供装置は、
無線通信システムを介して接続されるユーザ端末が発信する電波に基づいて、ユーザ端末の位置を検出する位置検出部と、
前記ユーザ端末の位置に応じたサービスを提供するサービス提供部と、
前記ユーザ端末の識別子を取得する識別子取得部と、
前記アクセス手段通知サービス装置に対して、前記ユーザ端末の識別子と自装置の識別子とを送信する送信部と、を備え、
アクセス手段通知サービス装置は、
前記位置利用サービス提供装置から、当該位置利用サービス提供装置と通信を行っている前記ユーザ端末の識別子と、当該位置利用サービス提供装置の識別子とを受信する受信部と、
前記位置利用サービス提供装置の識別子に基づいて、予め登録された情報から当該位置利用サービス提供装置へのアクセス手段を抽出するアクセス手段抽出部と、
前記ユーザ端末の識別子に基づいて、予め登録された情報から当該ユーザ端末への通知手段を抽出する通知手段抽出部と、
抽出した前記アクセス手段を、前記通知手段を用いて前記ユーザ端末へ送信する送信部と、
を備えることを特徴とする、サービス提供システム。
【請求項１０】
ユーザ端末、位置利用サービス提供装置、及びアクセス手段通知サービス装置を備えるサービス提供システムにおけるサービス提供方法であって、
前記位置情報利用サービス提供装置が、無線通信システムを介して接続されるユーザ端末が発信する電波に基づいて、ユーザ端末の位置を検出するステップと、
前記位置情報利用サービス提供装置が、前記ユーザ端末の識別子を取得するステップと、
前記位置情報利用サービス提供装置が、前記アクセス手段通知サービス装置に対して、前記ユーザ端末の識別子と自装置の識別子とを送信するステップと、
前記アクセス手段通知サービス装置が、前記位置情報利用サービス提供装置の識別子に基づいて、予め登録された情報から当該位置情報利用サービス提供装置へのアクセス手段を抽出するステップと、
前記アクセス手段通知サービス装置が、前記ユーザ端末の識別子に基づいて、予め登録された情報から当該ユーザ端末への通知手段を抽出するステップと、
前記アクセス手段通知サービス装置が、抽出した前記アクセス手段を、前記通知手段を用いて前記ユーザ端末へ送信するステップと、
を備えるサービス提供方法。
【発明の詳細な説明】
【技術分野】
【０００１】
本発明は、位置利用サービス提供装置、アクセス手段通知サービス装置、ユーザ端末装置、サービス提供システム及びサービス提供方法に関する。
【背景技術】
【０００２】
無線ＬＡＮなどの無線通信システムにおいて、ユーザ端末の位置に応じたサービスを提供する技術が知られている。従来このような情報を提供する際には、例えば下記の特許文献１に記載されているように、位置を検知するサービスをそれぞれサービス提供者が提供し、利用者はそのサービスに対して、サービス提供者から何らかの手段で提供されたアクセス手段を元に個々のサービスにアクセスしていた。
【０００３】
また、ユーザが複数のサービス提供者からのサービスを受けようとする場合は、複数のサービス提供者が提携して同一のサービスとして展開するサービスを利用すること、または、特許文献２に記載されているような個人情報管理サーバを用いて、複数の共通に使える認証サーバを利用することが一般的であった。
【０００４】
【特許文献１】特開２００７−１２４４０６号公報
【特許文献２】特開２００２−１８３４８４号公報
【発明の開示】
【発明が解決しようとする課題】
【０００５】
しかしながら、特許文献１に記載されているような、サービス提供者ごとにアクセス手段を提供する方法では、利用者は狭く限定された利用場所単位毎に異なるサービスへのアクセス方法を使わなければならない。また、ユーザは、現在居る場所が何らかの位置情報サービスを提供していることを、ユーザ自身が前もって知っていなければならない。
【０００６】
また、システム利用率の向上のために、サービスの提供者にとっては、ユーザ情報を持っていないユーザに対し、ユーザの位置情報取得に使う手段とは別の手段で、サービスに関する情報を送り込む手段が必要であった。
【０００７】
また、複数の事業者が認証サーバを共用する利用形態では、ユーザの意図しないサービス提供者に対して認証結果を提供することになるため、個人情報の管理という面で満足のいくものではなかった。
【０００８】
そこで、本発明は、上記問題に鑑みてなされたものであり、本発明の目的とするところは、ユーザ端末の位置に応じたサービスを提供する複数のサービスがあるときに、サービスの存在をユーザに提供することが可能な、新規かつ改良された位置利用サービス提供装置、アクセス手段通知サービス装置、ユーザ端末装置、サービス提供システム及びサービス提供方法を提供することにある。
【課題を解決するための手段】
【０００９】
上記課題を解決するために、本発明のある観点によれば、無線通信システムを介して接続されるユーザ端末が発信する電波に基づいて、ユーザ端末の位置を検出する位置検出部と、前記ユーザ端末の位置に応じたサービスを提供するサービス提供部と、前記ユーザ端末の識別子を取得する識別子取得部と、前記ユーザ端末への通知手段が登録されたアクセス手段通知サービス装置に対して、前記ユーザ端末の識別子と自装置の識別子とを送信する送信部と、を備える位置利用サービス提供装置が提供される。
【００１０】
また、前記ユーザ端末への通知手段は、前記ユーザ端末のメールアドレスであってもよい。
【００１１】
また、前記ユーザ端末の識別子は、前記ユーザ端末と前記位置利用サービス提供装置を接続する無線通信システムで用いられる識別子であってもよい。
【００１２】
また、上記課題を解決するために、本発明の別の観点によれば、ユーザ端末の位置に応じたサービスを提供する位置利用サービス提供装置から、当該位置利用サービス提供装置と通信を行っている前記ユーザ端末の識別子と、当該位置利用サービス提供装置の識別子とを受信する受信部と、前記位置利用サービス提供装置の識別子に基づいて、予め登録された情報から当該位置利用サービス提供装置へのアクセス手段を抽出するアクセス手段抽出部と、前記ユーザ端末の識別子に基づいて、予め登録された情報から当該ユーザ端末への通知手段を抽出する通知手段抽出部と、抽出した前記アクセス手段を、前記通知手段を用いて前記ユーザ端末へ送信する送信部と、を備えるアクセス手段通知サービス装置が提供される。
【００１３】
また、前記ユーザ端末への通知手段は、前記ユーザ端末のメールアドレスであってもよい。
【００１４】
また、前記ユーザ端末の識別子は、前記ユーザ端末と前記位置利用サービス提供装置を接続する無線通信システムで用いられる識別子であってもよい。
【００１５】
また、上記課題を解決するために、本発明の別の観点によれば、ユーザ端末、位置利用サービス提供装置、及びアクセス手段通知サービス装置を備えるサービス提供システムであって、前記位置利用サービス提供装置は、無線通信システムを介して接続されるユーザ端末が発信する電波に基づいて、ユーザ端末の位置を検出する位置検出部と、前記ユーザ端末の位置に応じたサービスを提供するサービス提供部と、前記ユーザ端末の識別子を取得する識別子取得部と、前記アクセス手段通知サービス装置に対して、前記ユーザ端末の識別子と自装置の識別子とを送信する送信部と、を備え、アクセス手段通知サービス装置は、前記位置利用サービス提供装置から、当該位置利用サービス提供装置と通信を行っている前記ユーザ端末の識別子と、当該位置利用サービス提供装置の識別子とを受信する受信部と、前記位置利用サービス提供装置の識別子に基づいて、予め登録された情報から当該位置利用サービス提供装置へのアクセス手段を抽出するアクセス手段抽出部と、
前記ユーザ端末の識別子に基づいて、予め登録された情報から当該ユーザ端末への通知手段を抽出する通知手段抽出部と、抽出した前記アクセス手段を、前記通知手段を用いて前記ユーザ端末へ送信する送信部と、を備えるサービス提供システムが提供される。
【００１６】
また、上記課題を解決するために、本発明の別の観点によれば、アクセス手段通知サービス装置に対して、自装置の識別子を含む情報を登録する登録部と、前記アクセス手段通知サービス装置から、自装置の位置に応じたサービスを提供可能な位置利用サービス装置へのアクセス手段を受信するアクセス手段受信部と、を備えるユーザ端末装置が提供される。
【００１７】
また、前記位置利用サービス装置が送信した前記サービスを受信するサービス受信部と、
前記サービスを表示する表示部と、を備えるものであってもよい。
【００１８】
また、上記課題を解決するために、本発明の別の観点によれば、ユーザ端末、位置利用サービス提供装置、及びアクセス手段通知サービス装置を備えるサービス提供システムにおけるサービス提供方法であって、前記位置情報利用サービス提供装置が、無線通信システムを介して接続されるユーザ端末が発信する電波に基づいて、ユーザ端末の位置を検出するステップと、前記位置情報利用サービス提供装置が、前記ユーザ端末の識別子を取得するステップと、前記位置情報利用サービス提供装置が、前記アクセス手段通知サービス装置に対して、前記ユーザ端末の識別子と自装置の識別子とを送信するステップと、前記アクセス手段通知サービス装置が、前記位置情報利用サービス提供装置の識別子に基づいて、予め登録された情報から当該位置情報利用サービス提供装置へのアクセス手段を抽出するステップと、前記アクセス手段通知サービス装置が、前記ユーザ端末の識別子に基づいて、予め登録された情報から当該ユーザ端末への通知手段を抽出するステップと、前記アクセス手段通知サービス装置が、抽出した前記アクセス手段を、前記通知手段を用いて前記ユーザ端末へ送信するステップと、を備えるサービス提供方法が提供される。
【発明の効果】
【００１９】
本発明によれば、ユーザ端末の位置に応じたサービスを提供する複数のサービスがあるときに、サービスの存在をユーザに提供することが可能となる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
図１は、本発明の一実施形態に係るサービス提供システム（通信システム）５００の構成を示す模式図である。図１に示すように、サービス提供システム５００は、ユーザ端末１００、位置利用サービス提供装置２００、通知サービス装置３００、およびインターネット４００を備えている。サービス提供システム５００は、例えば、屋内向けの位置情報に基づくサービスを提供するものである。
【００２２】
位置利用サービス提供装置２００と通知サービス装置３００は、インターネット４００を介して接続されている。また、ユーザ端末１００と通知サービス装置３００は、インターネット４００を介して接続されている。
【００２３】
図１に示すように、サービス提供システム５００は、複数の位置利用サービス提供装置２００を備えている。ユーザ端末１００は、その電波が届く範囲で、任意の位置利用サービス提供装置２００と無線ＬＡＮ（Ｗ−ＬＡＮ）、ｂｌｕｅｔｏｏｔｈなどの無線通信システムを介して接続される。なお、ユーザ端末１００と位置利用サービス提供装置２００は、インターネット４００を介して接続されるものであってもよい。
【００２４】
ユーザ端末１００は、携帯電話、ＰＤＡ（Ｐｅｒｓｏｎａｌ  Ｄｉｇｉｔａｌ  Ａｓｓｉｓｔａｎｃｅ）などのモバイル機器であり、無線ＬＡＮやｂｌｕｅｔｏｏｔｈなどの電波発生源と、インターネット４００に対するアクセス手段、および位置利用サービス提供装置３００を利用可能とするアプリケーション（Ｗｅｂブラウザなど）を備える。
【００２５】
図２は、ユーザ端末１００の構成を示す模式図である。ユーザ端末１００は、アンテナ１０２、無線通信部１０４、サービス受信部１０６、制御部１０８、データ記憶部１１０、インターネット接続部１１２、登録部１１４、表示部１１６を備える。ここで、制御部１０８は、図２の各ブロックを制御する機能を有する。無線通信部１０４は、各種データフレーム、データパケットを作成し、搬送波の周波数帯の変調信号を生成する。変調信号は、アンテナ１０２から無線信号として送信される。送信される信号には、各ユーザ端末１００に固有の識別子が含まれる。また、受信時には、無線通信部１０４は、アンテナ１０２により受信された無線信号をダウンコンバージョンし、ビット列に変換することにより各種データを復号する。なお、固有の識別子は、データ記憶部１１０に記憶されている。
【００２６】
インターネット接続部１１２は、インターネット４００に接続する。インターネット４００に接続されると、制御部１０８は、通知サービス装置３００からインターネット４００を経由して送られた位置利用サービス提供装置２００へのアクセス手段を取得する。また、サービス受信部１０６は、インターネット接続部１１２を介して位置利用サービス提供装置２００へアクセスした際に、位置利用サービスを受信するアクセス手段受信部として機能する。登録部１１４は、インターネット接続部１１２を介して通知サービス装置３００と接続された際に、ユーザ端末１００への通知手段（メールアドレス）、通信方式（無線ＬＡＮ、ｂｌｕｅｔｏｏｔｈなど）を通知サービス装置３００に登録する。表示部１１６は、サービス受信部１０６が受信したサービスを表示するＬＣＤなどのディスプレイである。
【００２７】
位置利用サービス提供装置２００は、ユーザ端末１００の発信する電波を受信し、受信強度等からユーザ端末１００の位置を特定し、ユーザ端末１００の位置に応じたサービスを提供する。位置に応じたサービスとしては、例えばショッピングセンターなどの店内ナビゲーションなどのサービスが挙げられる。
【００２８】
図３は、位置利用サービス提供装置２００の構成を示す模式図である。位置利用サービス提供装置２００は、アンテナ２０２、無線通信部２０４、位置検出部２０６、識別子取得部２０８、サービス提供部２１０、制御部２１２、データ記憶部２１４、インターネット接続部２１６を備える。無線通信部２０４は、各種データフレーム、データパケットを作成し、搬送波の周波数帯の変調信号を生成する。変調信号は、アンテナ２０２から無線信号として送信される。
【００２９】
また、受信時には、無線通信部２０４は、アンテナ２０２により受信された無線信号をダウンコンバージョンし、ビット列に変換することにより各種データを復号する。識別子取得部２０８は、受信した各種データフレームを解析し、無線信号の送信元であるユーザ端末１００の識別子、プロトコルなどを取得する。
【００３０】
位置検出部２０６は、無線通信部２０４が受信した、ユーザ端末１００の発信する無線ＬＡＮやｂｌｕｅｔｏｏｔｈなどの電波に基づいて、受信強度からユーザ端末１００の位置を検出する。識別子取得部２０８は、ＭＡＣアドレスやｂｌｕｅｔｏｏｔｈＩＤなどのユーザ端末１００の識別子を取得する。
【００３１】
また、インターネット接続部２１６は、識別子取得部２０８が取得したユーザ端末１００の識別子と、データ記憶部２１４に記憶された位置利用サービス提供装置２００の識別子とを、インターネット４００を経由して通知サービス装置３００に対して送信する。なお、位置利用サービス提供装置２００の識別子としては、例えば、各位置利用サービス提供装置２００毎に一意に決定された番号などを用いることができる。
【００３２】
サービス提供部２１０は、位置検出部２０６で検出された位置情報に応じたサービスを作成し、ユーザ端末１００へ提供する。ここで提供するサービスとしては、例えば、位置情報に基づいて作成された店舗ナビゲーションなどの情報が挙げられる。サービスの情報は、インターネット接続部２１６により、主にインターネット４００を経由して、Ｗｅｂブラウザベースでユーザ端末１００に送られる。制御部２１２は、図３に示す各機能ブロックの動作を制御する。
【００３３】
図４は、通知サービス装置３００の構成を示す模式図である。通知サービス装置３００は、ある位置利用サービス提供装置２００が、そのサービス提供範囲内でユーザ端末１００の電波を検知してユーザ端末１００を発見した際に、そのユーザ端末１００に対してサービスの利用方法を通知するサービスを提供する。通知サービス装置３００は、インターネット接続部３０４、識別子取得部３０６、制御部３０８、データ記憶部３１０、を備える。インターネット接続部３０４は、インターネット４００を介して、ユーザ端末１００及び位置利用サービス提供装置２００から送られた情報を受信する。また、インターネット接続部３０４は、後述する制御部３０８によりデータ記録部３１０から抽出された情報を、ユーザ端末１００へ送信する。識別子取得部３０６は、インターネット接続部３０４により受信した情報から、ユーザ端末１００の識別子と位置利用サービス提供装置２００の識別子を受信する。
【００３４】
データ記憶部３１０は、ユーザ端末１００の情報（識別子等）、ユーザ端末１００へサービスの使用方法を通知する際の通知手段（例えば、ユーザ端末のメールアドレス）に関する情報を保持している。また、データ記憶部３１０は、複数の位置利用サービス提供装置２００のそれぞれに対するアクセス手段（例えば、各位置利用サービス提供装置２００のＵＲＬ）を保持している。制御部３０８は、図４に示す各機能ブロックの動作を制御し、インターネット４００を介して受信したユーザ端末１００の情報、位置利用サービス提供装置２００の情報をデータ記憶部３１０に登録する。また、制御部３１０は、ユーザ端末１００の識別子に基づいてユーザ端末１００への通知手段（メールアドレス）をデータ記録部３１０から抽出する通知手段抽出部、および位置利用サービス提供装置２００の識別子に基づいて、位置利用サービス提供装置２００へのアクセス手段（ＵＲＬ）をデータ記録部３１０から抽出するアクセス手段抽出部として機能する。
【００３５】
位置利用サービス提供装置２００は、あらかじめ通知サービス装置３００に対し、ユーザ端末１００からのアクセス手段を登録しておく。図５は、位置利用サービス提供装置２００により登録されたデータを示す模式図である。図５に示すデータは、通知サービス装置３００のデータ記憶部３１０に登録される。図５のデータによれば、位置利用サービス提供装置２００の識別子（位置利用サービスＩＤ）から、各位置利用サービス提供装置２００へのアクセス手段（ＵＲＬ）を取得することができる。
【００３６】
また、図６は、ユーザ端末１００により、通知サービス装置３００に登録されたデータを示す模式図である。図６に示すデータも通知サービス装置３００のデータ記憶部３１０に登録される。図６に示すように、データ記憶部３１０には、ユーザ端末１００が使用する通信手段（Ｗ−ＬＡＮ、ｂｌｕｅｔｏｏｔｈなど）、ユーザ端末１００の識別子（端末ＩＤ（ＭＡＣアドレス、ｂｌｕｅｔｏｏｔｈＩＤなど））、ユーザ端末１００への通知手段（メールアドレス）が登録される。図６に示すデータによれば、ユーザ端末１００の識別子に基づいて、ユーザ端末１００の通信手段、メールアドレスを取得することができる。
【００３７】
通知サービス装置３００は、位置利用サービス提供装置２００から、ユーザ端末１００の通信手段（無線ＬＡＮ、ｂｌｕｅｔｏｏｔｈなど）の種別と、ユーザ端末１００の識別子を受信する。通信サービス装置３００は、データ記憶部３１０に登録されたユーザ端末１００の識別子を参照し、位置利用サービス提供装置２００から受信した識別子がデータ記憶部３１０に登録されている場合は、識別子からユーザ端末１００のメールアドレスを取得する。また、通知サービス装置３００は、位置利用サービス提供装置２００から送信された位置利用サービス提供装置２００の識別子に基づいて、当該位置利用サービス提供装置２００に対するアクセス手段（ＵＲＬ）を取得する。
【００３８】
そして、通知サービス装置３００は、取得したユーザ端末１００のメールアドレスを送信先として、位置利用サービス提供装置２００の利用方法（主にＵＲＬ）をユーザ端末１００に通知する。このように、ユーザ端末１００に対する通知は、データ記憶部３１０に登録されているＥメールなどの手段を用いることができる。
【００３９】
図７は、本実施形態のシステムによる処理の流れを示すシーケンス図である。先ず、ステップＳ１では、ユーザ端末１００を使用するユーザが、通知サービス装置３００に対し、ユーザ端末１００の識別子とユーザ端末１００に対する通知手段を登録する。ユーザ端末１００の識別子は、無線ＬＡＮ利用時のＭＡＣアドレス、ｂｌｕｅｔｏｏｔｈ利用時のｂｌｕｅｔｏｏｔｈＩＤなどの、位置利用サービス提供装置２００が位置取得の際に利用している情報であり、ユーザの操作により通知サービス装置３００に登録される。なお、ユーザ端末１００の識別子の情報をパーソナルコンピュータ等の機器で取り出して、これらの機器から通知サービス装置３００に登録するようにしても良い。ユーザ端末１００の識別子は、図６に示す状態でデータ記憶部３１０に記憶される。ユーザ端末１００に対する通知手段としては、主にユーザ端末１００のメールアドレスを想定しているが、通知サービス装置３００からの情報をユーザ端末１００が受信できるようにするため、専用アプリケーションを用意してもよい。
【００４０】
次に、ステップＳ２では、電波を発生するユーザ端末１００を所持したユーザが、ある位置利用サービス提供装置２００の電波検知エリアに物理的に移動し、そのエリアに入る。これにより、その位置利用サービス提供装置２００によりユーザ端末１００の電波が検知される。
【００４１】
そして、位置利用サービス提供装置２００は、提供するサービスで位置の検知に利用している無線ＬＡＮやｂｌｕｅｔｏｏｔｈなどの電波を検知した場合、ユーザ端末１００の識別子（ＭＡＣアドレスやｂｌｕｅｔｏｏｔｈＩＤなど）とプロトコル（無線ＬＡＮ、ｂｌｕｅｔｏｏｔｈなど）を取得する。
【００４２】
ここで、ユーザ端末１００が、電波を検知位置利用サービス提供装置２００の利用者である場合は、取得したユーザ端末１００の識別子に基づいて、位置利用サービス提供装置２００側でユーザ端末１００に関する情報を認識できる。従って、位置利用サービス提供装置２００は、通知サービス装置３００へ情報を送ることなく、ユーザ端末１００へ直接的にサービスを提供することができる。この場合、通知サービス装置３００を用いる以降の処理を行うか否かは、任意に決定できる。また、以前にそのユーザ端末１００による位置利用サービス提供装置２００へのユーザ登録が行われており、位置利用サービス提供装置２００から直接ユーザ端末１００に通知する手段があれば、通知サービス装置３００を用いることなく、その手段を用いてユーザ端末１００への通知を行っても良い。
【００４３】
次のステップＳ３では、位置利用サービス提供装置２００は、電波から検知したユーザ端末１００の識別子とプロトコル、および位置利用サービス提供装置２００自身の識別子を、通知サービス装置３００に送信する。
【００４４】
通知サービス装置３００は、位置利用サービス提供装置２００から送信されてきたユーザ端末１００の識別子とプロトコルがユーザ端末１００によって登録され、図６のようにデータ記憶部３１０に保持されている場合、次のステップＳ４において、登録されているユーザ端末１００のアクセス先（メールアドレス）に位置利用サービス提供装置２００へのアクセス方法に関する情報（例えば位置利用サービス提供装置２００のＵＲＬ）を送信する。このとき、アクセス方法にユーザ端末１００の識別子を含ませる方法は、予め定義してあり、即座にユーザ端末１００の位置に応じた該当する情報利用サービスの提供するサービスを受けられるようにしても良い。
【００４５】
次のステップＳ５では、ユーザ端末１００は、通知サービス装置３００から通知された位置利用サービス提供装置２００へのアクセス手段（主として、ｅ−ｍａｉｌで送信されてきたＵＲＬ）を元に位置利用サービス提供装置２００を利用する。位置利用サービス提供装置２００は、この後、新たに自サービスに対するユーザ登録などを求めるなどのことをしてもよい。
【００４６】
以上説明したように本実施形態によれば、ユーザ端末１００の利用者が初めて行った場所において、位置情報サービス提供者の情報を持っていなくても、通知サービス装置３００からの通知により、位置情報サービスが利用可能であるということを認識できる。
【００４７】
また、利用者の個人情報は通知サービス装置３００のみにあり、位置利用サービス提供装置２００側には、ユーザの情報が通知サービス装置３００に登録されているか否かの情報さえも渡らないので、個人情報を確実に保護できる。また、通知サービス装置３００は、ある瞬間に特定の位置利用サービス提供装置２００のエリア内であるか否かの情報しか手に入れることができないため、個人情報を確実に保護できる。
【００４８】
また、位置利用サービス提供装置２００の提供者は、新たなユーザ端末１００を発見した際に、そのユーザ端末１００のアドレスのみでユーザに対しアクションをかけることができる。従って、位置利用サービスの利用者をより多く獲得することが可能となる。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５０】
【図１】本発明の一実施形態に係るサービス提供システムの構成を示す模式図である。
【図２】ユーザ端末の構成を示す模式図である。
【図３】位置利用サービス提供装置の構成を示す模式図である。
【図４】通知サービス装置の構成を示す模式図である。
【図５】位置利用サービス提供装置により登録されたデータを示す模式図である。
【図６】ユーザ端末により、通知サービス装置に登録されたデータを示す模式図である。
【図７】本実施形態のシステムによる処理の流れを示すシーケンス図である。
【符号の説明】
【００５１】
１００    ユーザ端末
２００    位置利用サービス提供装置
２０６    位置検出部
２０８    識別子取得部
２１０    サービス提供部
２１６    インターネット接続部
３００    通知サービス装置
３０４    インターネット接続部
３０６    識別子取得部
３０８    制御部
３１０    データ記憶部
４００    インターネット
５００    サービス提供システム
【図１】
2010028350.tif 000003
【図２】
2010028350.tif 000004
【図３】
2010028350.tif 000005
【図４】
2010028350.tif 000006
【図５】
2010028350.tif 000007
【図６】
2010028350.tif 000008
【図７】
2010028350.tif 000009